(57)【要約】【課題】第１配管と第２配管との間に軸方向および横方向にずれが生じていても、このずれを吸収して第１配管と第２配管を接続する。【解決手段】エルボ付き伸縮自在継手１０は、第１スリーブ１１と第２スリーブ１２とを有する伸縮自在継手１０Ａと、伸縮自在継手１０Ａの両端部に設けられた一対のエルボ２０、３０とを備えている。各エルボ２０、３０は各々、回転自在の一方のエルボ配管２１、３１と、他方のエルボ配管２２、３２とを有し、回転することで曲がり角が変化する。【選択図】図１
2018080815.tif 000002
【特許請求の範囲】
【請求項１】
第１スリーブと、この第１スリーブに対して摺動可能な第２スリーブとを有する伸縮自在継手と、
前記伸縮自在継手の両端側に接合された回転自在のエルボとを備え、
各エルボは一方のエルボ配管と、この一方エルボ配管に対して回転自在に接合された他方のエルボ配管とを有し、一方のエルボ配管に対する他方のエルボ配管の回転位置によって各エルボの曲がり角が定まり、
前記第１スリーブと前記第２スリーブは、前記第１スリーブと前記第２スリーブ間を連結する固定ボルトにより固定可能となることを特徴とするエルボ付き伸縮自在継手。
【請求項２】
前記エルボの一方のエルボ配管と他方のエルボ配管の接合部は、第１パッキンにより覆われ、
当該第１パッキンは分割可能な第１ハウジングにより保持されることを特徴とする請求項１記載のエルボ付き伸縮自在継手。
【請求項３】
前記伸縮自在継手と各エルボの接合部は、第２パッキンにより覆われ、当該第２パッキンは分割可能な第２ハウジングにより保持されることを特徴とする請求項１または２記載のエルボ付き伸縮自在継手。
【発明の詳細な説明】
【技術分野】
【０００１】
本発明は第１配管および第２配管を接続するエルボ付き伸縮管継手に係り、とりわけ第１配管および第２配管間においてずれが生じていても、この第１配管および第２配管を確実に接続することができるエルボ付き伸縮管継手に関する。
【背景技術】
【０００２】
従来より第１配管および第２配管を接続する伸縮管継手が知られている。
【０００３】
このような伸縮管継手は第１配管と第２配管が軸方向に多少ずれていてもこの軸方向のずれを吸収して、第１配管と第２配管を適切に接合することができる。
【０００４】
他方、第１配管と第２配管が横方向にずれている場合、このような横方向のずれを吸収して第１配管と第２配管を接合することはむずかしい。
【先行技術文献】
【特許文献】
【０００５】
【特許文献１】特開平３−２８５１３７号公報
【特許文献２】特開２００５−９１２１５号公報
【特許文献３】特開２００４−５３３１７号公報
【特許文献４】特開２００４−１０３５５号公報
【発明の開示】
【発明が解決しようとする課題】
【０００６】
本発明はこのような点を考慮してなされたものであり、第１配管と第２配管との間に軸方向および横方向に多少ずれが生じていても、このずれを吸収して第１配管と第２配管を確実に接合することができるエルボ付き伸縮管継手を提供することを目的とする。
【課題を解決するための手段】
【０００７】
本発明は、第１スリーブと、この第１スリーブに対して摺動可能な第２スリーブとを有する伸縮自在継手と、前記伸縮自在継手の両端側に接合された回転自在のエルボとを備え、各エルボは一方のエルボ配管と、この一方エルボ配管に対して回転自在に接合された他方のエルボ配管とを有し、一方のエルボ配管に対する他方のエルボ配管の回転位置によって各エルボの曲がり角が定まり、前記第１スリーブと前記第２スリーブは、前記第１スリーブと前記第２スリーブ間を連結する固定ボルトにより固定可能となることを特徴とするエルボ付き伸縮自在継手である。
【０００８】
本発明は、前記エルボの一方のエルボ配管と他方のエルボ配管の接合部は、第１パッキンにより覆われ、当該第１パッキンは分割可能な第１ハウジングにより保持されることを特徴とする請求項１記載のエルボ付き伸縮自在継手である。
【０００９】
本発明は、前記伸縮自在継手と各エルボの接合部は、第２パッキンにより覆われ、当該第２パッキンは分割可能な第２ハウジングにより保持されることを特徴とする請求項１または２記載のエルボ付き伸縮自在継手である。
【発明の効果】
【００１０】
以上のように本発明によれば、第１配管と第２配管との間に軸方向および横方向にずれが生じていても、このずれを吸収して第１配管と第２配管を確実に接合することができる。
【図面の簡単な説明】
【００１１】
【図１】図１は、本発明によるエルボ付き伸縮自在継手を示す側断面図。
【図２】図２（ａ）は、回転自在のエルボを示す側断面図であり、図２（ｂ）は曲がり角が変化したエルボを示す側断面図。
【図３】図３は、エルボ付き伸縮自在継手の作用を示す図。
【図４】図４は、エルボ付き伸縮自在継手の作用を示す図。
【図５】図５（ａ）（ｂ）は、エルボ付き伸縮自在継手の作用を示す図。
【図６】図６（ａ）（ｂ）は、エルボ付き伸縮自在継手の変形例を示す図。
【図７】図７（ａ）（ｂ）は、エルボ付き伸縮自在継手の変形例を示す図。
【図８】図８（ａ）（ｂ）は、エルボ付き伸縮自在継手の変形例を示す図。
【発明の実施の形態】
【００１２】
以下、図面を参照して、本発明によるエルボ付き伸縮管継手について説明する。  
ここで図１はエルボ付き伸縮管継手を示す側断面図、図２（ａ）は、回転自在のエルボを示す側断面図であり、図２（ｂ）は曲がり角が変化したエルボを示す側断面図である。また図３乃至図５（ａ）（ｂ）は、エルボ付き伸縮自在継手の作用を示す図である。
【００１３】
図１および図２（ａ）（ｂ）に示すように、エルボ付き伸縮自在継手１０は第１配管１と第２配管２とを接続するものである。
【００１４】
この場合、第１配管１と第２配管２は、既存のものであって、これら第１配管１と第２配管２は設計上の位置に対して軸方向および横方向に多少ずれて設置されることがある。
【００１５】
このように第１配管１と第２配管２が、設計上の位置に対して軸方向および横方向に多少ずれていても、エルボ付き伸縮自在継手１０はこれらの第１配管１と第２配管２を適切に接続することができる。
【００１６】
すなわち、このようなエルボ付き伸縮自在継手１０は、第１スリーブ１１と、この第１スリーブ１１に対して摺動可能な第２スリーブ１２とを有する伸縮自在継手１０Ａと、この伸縮自在継手１０Ａの両端側に接合された一対の回転自在のエルボ２０、３０とを備えている。
【００１７】
このうち伸縮自在継手１０Ａは、上述のように外面に取付フランジ１１ａを有する第１スリーブ１１を有し、この第１スリーブ１１内に第１スリーブ１１に対して軸方向に摺動可能な第２スリーブ１２が挿着されている。第２スリーブ１２はその外面に取付フランジ１２ａを有し、第１スリーブ１１と第２スリーブ１２は、取付フランジ１１ａ、１２ａに円周方向に沿って装着された複数のタイボルト１５により円周方向および軸方向に固定される。
【００１８】
エルボ２０は一方のエルボ配管２１と、この一方のエルボ配管２１に対して回転自在に接合された他方のエルボ配管２２とを有し、一方のエルボ配管２１に対して他方のエルボ配管２２を回転させることにより、その曲がり角を調整することができる。
【００１９】
エルボ３０は一方のエルボ配管３１と、この一方のエルボ配管３１に対して回転自在に接合された他方のエルボ配管３２とを有し、一方のエルボ配管３１に対して他方のエルボ配管２２を回転させることにより、その曲がり角を調整することができる。
【００２０】
またエルボ２０の一方のエルボ配管２１と他方のエルボ配管２２との接合部は、第１パッキン２３により覆われ、この第１パッキン２３は第１パッキン２３を囲むとともに円周方向に分割された第１ハウジング２４により保持されている。またこの分割された第１ハウジング２４は、各々取付ボルト（図示せず）により固定されている。
【００２１】
さらにエルボ３０の一方のエルボ配管３１と他方のエルボ配管３２との接合部は、第１パッキン３３により覆われ、この第１パッキン３３は第１パッキン３３を囲むとともに円周方向に分割された第１ハウジング３４により保持されている。
【００２２】
またこの分割された第１ハウジング３４は、各々取付ボルト（図示せず）により固定されている。
【００２３】
エルボ２０、３０はいずれも同一構造をもつため、ここではエルボ２０を例にとって、その構造を更に述べる。
【００２４】
図２（ａ）（ｂ）に示すようにエルボ２０は、一方のエルボ配管２１と他方のエルボ配管２２とを有し、一方のエルボ配管２１の接合面２１ａおよび他方のエルボ配管２２の接合面２２ａはいずれも一方のエルボ配管２１の軸線Ｌに対して直交しておらず、一方のエルボ配管２１の軸線Ｌに対して傾斜している。
【００２５】
このため、一方のエルボ配管２１に対して他方のエルボ配管２２を回転させることによりエルボ２０の曲がり角を変化させることができる。そして一方のエルボ配管２１に対する他方のエルボ配管２２の回転位置によってエルボ２０の曲がり角が定まる。
【００２６】
例えば、図２（ａ）に示すように、一方のエルボ配管２１に対して他方のエルボ配管２２を回転させて、エルボ２０の曲がり角を最大１５°に定めることができる。また一方のエルボ配管２１に対して他方のエルボ配管２２を回転させて、エルボ２０の曲がり角を０°に戻すことができる（図２（ｂ）参照）。
【００２７】
ここで図２（ａ）において、一方のエルボ配管２１の下縁の長さは１１５ｍｍ、他方のエルボ配管２２の下縁の長さは１１５ｍｍとなっている。
【００２８】
また図２（ｂ）において、一方のエルボ配管２１と他方のエルボ配管２２の全長は２３０ｍｍとなっている。また、図２（ａ）（ｂ）において、一方のエルボ配管２１および他方のエルボ配管２２の外径は、１５０ｍｍとなっている。
【００２９】
また、図１に示すように、エルボ２０の一方のエルボ配管２１は第１スリーブ１１に接合され、他方のエルボ配管２２は第１配管１に接合されている。さらにエルボ３０の一方のエルボ配管３１は第２スリーブ１２に接合され、他方のエルボ配管３２は第２配管２に接合されている。
【００３０】
この場合、エルボ２０の一方のエルボ配管２１と第１スリーブ１１との接合部、および他方のエルボ配管２２と第１配管１との接合部は、いずれも第２パッキン４０により覆われ、この第２パッキン４０は第２パッキン４０を囲むとともに、円周方向に分割された第２ハウジング４１により保持されている。
【００３１】
またエルボ３０の一方のエルボ配管３１と第２スリーブ１２との接合部、および他方のエルボ配管３２と第２配管２との接合部は、いずれも第２パッキン４０により覆われ、この第２パッキン４０は第２パッキン４０を囲むとともに円周方向に分割された第２ハウジング４１により保持されている。
【００３２】
なお、図１に示すように、第１配管１および第２配管２は、いずれもエルボ２０およびエルボ３０側に設けられたフランジ短管１ａ、２ａを有し、これらフランジ短管１ａ、２ａは本管１ｂ、２ｂにフランジ１ｃ、２ｃを介して接続されている。そしてフランジ短管１ａと本管１ｂとにより第１配管が構成され、フランジ短管２ａと本管２ｂとにより第２配管２が構成されている。
【００３３】
次にこのような構成からなる本実施の形態の作用について図３乃至図５により説明する。
【００３４】
まず既設の第１配管１と第２配管２とが設計上の位置に対して横方向に長さａだけずれている場合、エルボ２０の一方のエルボ配管２１に対して他方のエルボ配管２２を回転させてエルボ２０の曲がり角を大きくとり、同様にエルボ３０の一方のエルボ配管３１に対して他方のエルボ配管３２を回転させてエルボ３０の曲がり角を大きくとる。この場合、例えばエルボ２０，３０の曲がり角を１５°に設定する。その後、エルボ２０，３０は回転することなく、その曲がり角１５°を維持する。
【００３５】
また伸縮自在継手１０Ａの第１スリーブ１１に対して第２スリーブ１２を摺動させて、伸縮自在継手１０Ａを引き延ばし、第１スリーブ１１と第２スリーブ１２をタイボルト１５により固定する。
【００３６】
このようにエルボ２０、３０の曲がり角を大きく設定し、伸縮自在継手１０Ａを引き延ばすことにより第１配管１と第２配管２とか横方向に長さａだけずれていても、このずれを吸収して第１配管１と第２配管２とを確実にエルボ付き伸縮自在継手１０により接続することができる。
【００３７】
ここで図４は図３のIV線方向矢視図であり、既設の第２配管２は、予め屈曲している。
【００３８】
次に第１配管１と第２配管２とが設計上の位置に対して横方向にはずれていないが、軸方向にわずかにずれている場合の作用を図５（ａ）（ｂ）（ｃ）により説明する。
【００３９】
図５（ａ）は第１配管１と第２配管２の設計上の位置である。
【００４０】
次に図５（ｂ）に示すように第１配管１と第２配管２が軸方向に互いに接近して軸方向に長さｂだけずれている場合、まずエルボ２０の一方のエルボ配管２１に対して他方のエルボ配管２２を回転させてエルボ２０の曲がり角を０°とし、エルボ３０の一方のエルボ配管３１に対して他方のエルボ配管３２を回転させてエルボ３０の曲がり角を０°とする。
【００４１】
次に伸縮自在継手１０Ａの第１スリーブ１１に対して第２スリーブ１２を摺動させて、伸縮自在継手１０Ａを縮め、第１スリーブ１１と第２スリーブ１２をタイボルト１５により固定する。
【００４２】
このようにエルボ２０、３０の曲がり角を０°として、伸縮自在継手１０Ａを縮めることによって、第１配管１と第２配管２とが軸方向に長さｂだけずれていても、このずれを吸収して第１配管１と第２配管２とを確実にエルボ付き伸縮自在継手１０により接続することができる。
【００４３】
また第１配管１と第２配管２が軸方向に互いに離れて軸方向に長さｃだけずれている場合（図５（ｃ）参照）、まずエルボ２０の一方のエルボ配管２１に対して他方のエルボ配管２２を回転させてエルボ２０の曲がり角を０°とし、エルボ３０の一方のエルボ配管３１に対して他方のエルボ配管３２を回転させてエルボ３０の曲がり角を０°とする。
【００４４】
次に伸縮自在継手１０Ａの第１スリーブ１１に対して第２スリーブ１２を摺動させて、伸縮自在継手１０Ａを延ばし、第１スリーブ１１と第２スリーブ１２をタイボルト１５により固定する。
【００４５】
このようにエルボ２０、３０の曲がり角を０°として、伸縮自在継手１０Ａを延ばすことによって、第１配管１と第２配管２とが軸方向に長さｂだけずれていても、このずれを吸収して第１配管１と第２配管２とを確実にエルボ付き伸縮自在継手１０により接続することができる。
【００４６】
次に本発明の変形例について図６（ａ）（ｂ）乃至図８（ａ）（ｂ）により説明する。
図６（ａ）（ｂ）乃至図８（ａ）（ｂ）に示す変形例において、エルボ２０、３０の構成が異なるのみであり、他の構成は図１乃至図５（ａ）（ｂ）（ｃ）に示す実施の形態と略同一である。
【００４７】
また図６（ａ）（ｂ）乃至図８（ａ）（ｂ）に示す変形例において、エルボ２０、３０は同一構造をもつため、便宜上、エルボ２０のみについて説明する。
【００４８】
例えば、図６（ａ）に示すように、一方のエルボ配管２１に対して他方のエルボ配管２２を回転させて、エルボ２０の曲がり角を最大１０°に定めることができる。また一方のエルボ配管２１に対して他方のエルボ配管２２を回転させて、エルボ２０の曲がり角を０°に戻すことができる（図６（ｂ）参照）。
【００４９】
あるいは、図７（ａ）に示すように、一方のエルボ配管２１に対して他方のエルボ配管２２を回転させて、エルボ２０の曲がり角を最大３０°に定めることができる。また一方のエルボ配管２１に対して他方のエルボ配管２２を回転させて、エルボ２０の曲がり角を０°に戻すことができる（図７（ｂ）参照）。
【００５０】
あるいは、図８（ａ）に示すように、一方のエルボ配管２１に対して他方のエルボ配管２２を回転させて、エルボ２０の曲がり角を最大４５°に定めることができる。また一方のエルボ配管２１に対して他方のエルボ配管２２を回転させて、エルボ２０の曲がり角を０°に戻すことができる（図８（ｂ）参照）。
【符号の説明】
【００５１】
１      第１配管
２      第２配管
１０    エルボ付き伸縮自在継手
１０Ａ  伸縮自在継手
１１    第１スリーブ
１２    第２スリーブ
１５    タイボルト
２０    エルボ
２１    一方のエルボ配管
２２    他方のエルボ配管
３０    エルボ
３１    一方のエルボ配管
３２    他方のエルボ配管
【図１】
2018080815.tif 000003
【図２】
2018080815.tif 000004
【図３】
2018080815.tif 000005
【図４】
2018080815.tif 000006
【図５】
2018080815.tif 000007
【図６】
2018080815.tif 000008
【図７】
2018080815.tif 000009
【図８】
2018080815.tif 000010